(57)【要約】【課題】自システム内に発生する異常を検出することにより、高精度に組電池の電池電圧の制御を行うことができる、電池監視システムを提供する。【解決手段】電池監視システム１０では、電池監視ＬＳＩ２０が検出動作を行っており、かつ、ＡＬＡＲＭ端子と、システムコントローラ４０のＡＬＭＩＮ端子との間に断線が発生しておらず、さらに異常状態ではない場合に限り、ＡＬＡＲＭ端子の電位はＨレベルとなる。電池監視ＬＳＩ２０の少なくとも異常検出ブロック２２が検出動作を行っていない場合、検出動作を行っていても異常状態である場合、あるいは、ＡＬＡＲＭ端子と、システムコントローラ４０のＡＬＭＩＮ端子との間に断線が発生している場合のいずれかの場合は、ＡＬＡＲＭ端子の電位、または断線箇所よりもシステムコントローラ４０側の基板上のパターンがＬレベルとなり、全てが正常状態である場合と明確に区別が可能である。【選択図】図１
2016157649.tif 000002
【特許請求の範囲】
【請求項１】
動作制御端子及び検出結果出力端子を有し、前記動作制御端子に入力される制御信号に応じて、組電池に関する異常状態を検出する検出動作の実行及び検出動作の停止を行い、検出結果に応じたレベルの検出信号を前記検出結果出力端子から出力する電池監視用の半導体装置と、
前記検出信号が入力される検出結果入力端子及び制御信号出力端子を有し、前記制御信号出力端子から前記検出動作の実行及び前記検出動作の停止を指示する前記制御信号を前記動作制御端子に出力し、また、前記検出結果入力端子の電位が所定のレベルである場合に前記異常状態であると判断するシステムコントローラと、
前記組電池に関する異常状態と異なる予め定められた異常状態が発生した場合に、前記検出結果入力端子の電位を前記所定のレベルに制御する、検出結果入力端子制御部と、
を備えた電池監視システム。
【発明の詳細な説明】
【技術分野】
【０００１】
本発明は、電池監視システムに関するものである。
【背景技術】
【０００２】
従来から、複数の電池セルを直列（多段）に接続した組電池を用いることにより、高電圧を生成することが行われている。一般に、電池監視システムでは、組電池に含まれる電池セルを常時監視することにより安全性と性能を維持する。具体的には、電池セルの電池電圧を詳細にモニタし、電池電圧が規定の範囲内に収まるように制御を行う。
【０００３】
そのため、電池セルの電池電圧のモニタが正常に行われていることが重要となる。例えば、各電池セルと電圧測定装置との間の配線が断線した場合、電圧測定装置では電池セルの電池電圧が測定できず、所望の保護機能が得られない。
【０００４】
当該断線等の組電池に関する異常を検出する技術が要求されており、例えば、特許文献１には、組電池と電池監視用の半導体装置との間における断線を検出する技術が記載されている。
【先行技術文献】
【特許文献】
【０００５】
【特許文献１】特開２０１５−００１４４６号公報
【発明の概要】
【発明が解決しようとする課題】
【０００６】
さらに、電池監視システムが正常に動作していることが必須であるため、システムエラーも異常として検出する仕組みが要求される。
【０００７】
本発明は、自システム内に発生する異常を検出することにより、高精度に組電池の電池電圧の制御を行うことができる、電池監視システムを提供することを目的とする。
【課題を解決するための手段】
【０００８】
上記目的を達成するために、本発明の電池監視システム、動作制御端子及び検出結果出力端子を有し、前記動作制御端子に入力される制御信号に応じて、組電池に関する異常状態を検出する検出動作の実行及び検出動作の停止を行い、検出結果に応じたレベルの検出信号を前記検出結果出力端子から出力する電池監視用の半導体装置と、前記検出信号が入力される検出結果入力端子及び制御信号出力端子を有し、前記制御信号出力端子から前記検出動作の実行及び前記検出動作の停止を指示する前記制御信号を前記動作制御端子に出力し、また、前記検出結果入力端子の電位が所定のレベルである場合に前記異常状態であると判断するシステムコントローラと、前記組電池に関する異常状態と異なる予め定められた異常状態が発生した場合に、前記検出結果入力端子の電位を前記所定のレベルに制御する、検出結果入力端子制御部と、を備える。
【発明の効果】
【０００９】
自システム内に発生する異常を検出することにより、高精度に組電池の電池電圧の制御を行うことができる、という効果を奏する。
【図面の簡単な説明】
【００１０】
【図１】第１の実施の形態の電池監視システムの一例の回路図である。
【図２】第２の実施の形態の電池監視システムの一例の回路図である。
【図３】参考形態の電池監視システムの一例の回路図である。
【発明を実施するための形態】
【００１１】
以下、図面を参照して、本発明の電池監視システムについて説明する。
【００１２】
［第１の実施の形態］
まず、本実施の形態の電池監視システムの構成について図面を参照して説明する。図１には、本実施の形態の電池監視システムの一例の回路図を示す。
【００１３】
本実施の形態の電池監視システム１０は、組電池１２が備える各電池セルＣｅｌｌ１〜Ｃｅｌｌ５（以下、総称する場合は「電池セルＣｅｌｌ」という。）の電池電圧をモニタして監視し、電圧が規定の範囲内に収まるように制御する機能を有している。図１に示すように、電池監視システム１０は、電池監視ＬＳＩ（Large Scale Integration）２０、ＳＬＥＥＰ端子駆動部３４、ＡＬＡＲＭ端子駆動部３６（検出結果入力端子制御部の一例）、及びシステムコントローラ４０を備えている。
【００１４】
本実施の形態の組電池１２は、５つの電池セルＣｅｌｌ１乃至Ｃｅｌｌ５を、電池セルＣｅｌｌ１を最下段とし、電池セルＣｅｌｌ５を最上段として直列に接続することで構成されている。電池セルの具体的一例としてはリチウムイオン電池やニッケル水素電池等が挙げられる。
【００１５】
電池監視用の半導体装置である電池監視ＬＳＩ２０は、ＧＮＤ（グランド）端子、Ｖ１〜Ｖ５端子、及びＶＤＤ端子を備えており、これらの端子を介して組電池１２と接続されている。具体的には、ＧＮＤ端子には組電池１２の電池セルＣｅｌｌ１の低電位側が接続されている。Ｖ１端子には電池セルＣｅｌｌ１の高電位側（電池セルＣｅｌｌ２の低電位側）が接続されている。Ｖ２端子には電池セルＣｅｌｌ２の高電位側（電池セルＣｅｌｌ３の低電位側）が接続されている。Ｖ３端子には電池セルＣｅｌｌ３の高電位側（電池セルＣｅｌｌ４の低電位側）が接続されている。Ｖ４端子には電池セルＣｅｌｌ４の高電位側（電池セルＣｅｌｌ５の低電位側）が接続されている。Ｖ５端子には電池セルＣｅｌｌ５の高電位側が接続されている。また、ＶＤＤ端子には電池セルＣｅｌｌ５の高電位側が接続されている。
【００１６】
図１に示すように、電池監視ＬＳＩ２０は、異常検出ブロック２２及び制御回路３０を備えている。電池監視ＬＳＩ２０は、組電池１２の各電池セルＣｅｌｌの電池電圧を測定する機能及び組電池１２に関する異常を検出する機能を有する。
【００１７】
異常検出ブロック２２は、組電池１２の各電池セルＣｅｌｌの電池電圧をモニタして、過充電、過放電及び電池セルＣｅｌｌ（組電池１２）との間における断線を異常として検出する機能を有している。そのため、異常検出ブロック２２は、過充電検出ブロック２４、過放電検出ブロック２６及びセンサ２７を有している。過充電検出ブロック２４は、電池セルＣｅｌｌの過充電を検出する機能を有する。過放電検出ブロック２６は、電池セルＣｅｌｌの過放電を検出する機能を有する。断線検出ブロック２８は、電池セルＣｅｌｌ（組電池１２）との間における断線を検出する機能を有する。なお、図１では、図示の便宜上、過充電検出ブロック２４、過放電検出ブロック２６及び断線検出ブロック２８をそれぞれ異なるブロックとして図示したが、これらの各機能ブロックは各々別個の構成（回路）でなくてもよい。単一の回路ブロック等が検出する異常に応じた動作を行うことにより、過充電検出ブロック２４、過放電検出ブロック２６及び断線検出ブロック２８として機能する構成としてもよい。
【００１８】
異常検出ブロック２２は、制御回路３０の制御により異常の検出を行い、検出結果を制御回路３０に出力する。
【００１９】
制御回路３０は、電池監視ＬＳＩ２０全体を制御する機能を有し、また、異常検出ブロック２２による異常の検出を制御する機能を有する。なお、異常を検出する検出遅延時間は、ＣＤＬＹ端子に接続された外付けのコンデンサＣの充放電時間を用いてもよいし、電池監視ＬＳＩ２０内部でタイミングを計測してもよい。ＣＤＬＹ端子と制御回路３０とは、スイッチング素子ＳＷ２、ＳＷ３及び電流源Ｉ２を含む回路３１を介して接続されている。
【００２０】
また、電池監視ＬＳＩ２０は、ＳＬＥＥＰ端子（動作制御端子）、及びＡＬＡＲＭ端子（検出結果出力端子）を備えており、これらの端子を介してシステムコントローラ４０と接続されている。
【００２１】
電池監視ＬＳＩ２０は、ＳＬＥＥＰ端子及びＳＬＥＥＰ端子駆動部３４を介してシステムコントローラ４０から、異常を検出する検出動作の起動、停止を指示する制御信号を受信する。電池監視ＬＳＩ２０は、ＳＬＥＥＰ端子に起動を指示する制御信号を受信している間、異常を検出する検出動作を常時あるいは一定のインターバルで行う。
【００２２】
ＳＬＥＥＰ端子は、電池監視ＬＳＩ２０内に備えられた抵抗素子Ｒ１により、電源電圧ＶＤＤにプルアップされる。
【００２３】
また、電池監視ＬＳＩ２０は、異常検出ブロック２２が異常を検出した場合に、ＡＬＡＲＭ端子及びＡＬＡＲＭ端子駆動部３６を介してシステムコントローラ４０にアラームを送信する。ＡＬＡＲＭ端子の電位は、電池監視ＬＳＩ２０内に備えられたＮＭＯＳトランジスタＮ１により制御される。ＮＭＯＳトランジスタＮ１は、ドレイン端子が電流源Ｉ１及びスイッチング素子ＳＷ１を介して電源電圧ＶＤＤにプルアップされている。また、ＮＭＯＳトランジスタＮ１のゲート端子は制御回路３０に接続されており、制御回路３０から出力される信号により、オン、オフが制御される。本実施形態では、異常検出ブロック２２が異常を検出した場合（以下、「異常状態」という）には制御回路３０はＨレベル（本発明の所定のレベルの一例）の信号を出力し、ＮＭＯＳトランジスタＮ１はオン状態になる。一方、異常検出ブロック２２が異常を検出していない場合（以下、「正常状態」という）には制御回路３０はＬレベルの信号を出力し、ＮＭＯＳトランジスタＮ１はオフ状態になる。
【００２４】
スイッチング素子ＳＷ１は、ＳＬＥＥＰ端子に入力される制御信号（電圧）と連動しており、当該制御信号のレベルにより、オン（オープン）、オフ（クローズ）が制御される。具体的には、スイッチング素子ＳＷ１は、ＳＬＥＥＰ端子に入力される制御信号のレベルがスリープ（検出動作の停止、Ｈレベル）を表す場合は、オフ状態になり、制御信号のレベルが動作状態（検出動作の実行、Ｌレベル）を表す場合は、オフ状態になる、
一方、システムコントローラ４０は、電池監視システム１０全体を制御する機能を有しており、ＣＴＬＯＵＴ端子（制御信号出力端子）及びＡＬＭＩＮ端子（検出結果入力端子）を備えている。システムコントローラ４０は、電池監視ＬＳＩ２０の異常検出ブロック２２に組電池１２の異常を検出する検出動作を行わせる場合は、ＣＴＬＯＵＴ端子からＨレベルの制御信号を出力する。一方、異常検出ブロック２２の検出動作を停止させる場合は、ＣＴＬＯＵＴ端子からＬレベルの制御信号を出力する。
【００２５】
また、システムコントローラ４０は、ＡＬＭＩＮ端子の電位がＨレベルの場合には異常状態であると判断する。一方、ＡＬＭＩＮ端子の電位がＬレベルの場合には正常状態であると判断する。
【００２６】
電池監視ＬＳＩ２０とシステムコントローラ４０との間のインターフェースは、一般的には、電源電圧ＶＤＤ及び電池監視システム１０におけるＨレベルを考慮して、これらを満足する耐圧を有するようなＮＭＯＳトランジスタを介して構成する。
【００２７】
具体的には、電池監視ＬＳＩ２０のＳＬＥＥＰ端子は、ＳＬＥＥＰ端子駆動部３４のＮＭＯＳトランジスタＮ３を介してシステムコントローラ４０のＣＴＬＯＵＴ端子に接続されている。ＮＭＯＳトランジスタＮ３のドレイン端子にはＳＬＥＥＰ端子が接続されており、ゲート端子にはＣＴＬＯＵＴ端子が接続されている。また、ＮＭＯＳトランジスタＮ３のゲート−ソース間には、バイアス設定用の抵抗素子Ｒ４が接続されている。
【００２８】
一方、電池監視ＬＳＩ２０のＡＬＡＲＭ端子は、ＡＬＡＲＭ端子駆動部３６のＮＭＯＳトランジスタＮ２を介してシステムコントローラ４０のＡＬＭＩＮ端子に接続されている。ＮＭＯＳトランジスタＮ２のドレイン端子は、抵抗素子Ｒ２を介して電池監視システム１０におけるＨレベルにプルアップされ、また、システムコントローラ４０のＡＬＭＩＮ端子に接続されている。ＮＭＯＳトランジスタＮ２のゲート端子にはＡＬＡＲＭ端子が接続されている。また、ＮＭＯＳトランジスタＮのゲート-ソース間にはバイアス設定用の抵抗素子Ｒ２と、必要に応じて保護用のツェナーダイオードＺＤとが並列に接続されている。
【００２９】
なお、本実施形態では、ＮＭＯＳトランジスタＮ１〜Ｎ３はいずれもＮＭＯＳＦＥＴ（N channel Metal Oxide Semiconductor Field Effect Transistor）を用いている。
【００３０】
次に本実施の形態の電池監視システム１０の異常を検出する動作について説明する。
【００３１】
まず、電池監視ＬＳＩ２０とシステムコントローラ４０との間において、断線やシステム不良等の異常がない場合の電池監視システム１０の動作について説明する。
【００３２】
電池監視ＬＳＩ２０の異常検出ブロック２２に異常検出動作を開始させる場合、システムコントローラ４０は、ＣＴＬＯＵＴ端子からＨレベルの制御信号を出力する。当該Ｈレベルの制御信号により、ＮＭＯＳトランジスタＮ３はオン状態となる。そのため、電池監視ＬＳＩ２０とシステムコントローラ４０との間に断線等の異常が無い場合は、ＳＬＥＥＰ端子にはＬレベルの制御信号が入力される。制御回路３０は、当該Ｌレベルの制御信号に応じて異常検出ブロック２２に検出動作を行わせる。
【００３３】
一方、電池監視ＬＳＩ２０のスイッチング素子ＳＷ１はＳＬＥＥＰ端子に入力される制御信号のレベルに連動しているため、Ｌレベルの制御信号に応じて、オン状態になる。スイッチング素子ＳＷ１がオン状態になることにより、ＡＬＡＲＭ端子には電流源Ｉ１が接続されてプルアップされる。
【００３４】
異常検出ブロック２２が検出動作を行っている間、正常状態では制御回路３０はＬレベルの信号を出力するため、ＮＭＯＳトランジスタＮ１はオフ状態であり、ＡＬＡＲＭ端子から出力される信号はＨレベルになる。当該Ｈレベルの信号により、ＮＭＯＳトランジスタＮ２はオン状態になり、ＡＬＭＩＮ端子にはＬレベルの信号が入力される。システムコントローラ４０は、ＡＬＭＩＮ端子の電位がＬレベルであるため、正常状態であると判断する。
【００３５】
ここで、異常検出ブロック２２が異常を検出した場合、制御回路３０は、Ｈレベルの信号を出力する。当該Ｈレベルの信号により、ＮＭＯＳトランジスタＮ１はオン状態に変化し、ＡＬＡＲＭ端子から出力される信号はＬレベルになる。当該Ｌレベルの信号により、ＮＭＯＳトランジスタＮ２はオフ状態になり、ＡＬＭＩＮ端子の電位はＨレベルになる。システムコントローラ４０は、ＡＬＭＩＮ端子の電位がＨレベルであるため、異常状態であると判断する。
【００３６】
次に、電池監視ＬＳＩ２０のＳＬＥＥＰ端子とシステムコントローラ４０のＣＴＬＯＵＴ端子との間において、断線やシステム不良等の異常が有り、ＳＬＥＥＰ端子の電位が制御不能である場合の電池監視システム１０の動作について説明する。
【００３７】
断線やシステム不良等によりＳＬＥＥＰ端子の電位をＬレベルにできない場合、電池監視ＬＳＩ２０の異常検出ブロック２２は異常の検出動作を開始しないままとなる。
【００３８】
一方、電池監視ＬＳＩ２０のスイッチング素子ＳＷ１はＳＬＥＥＰ端子の電位に連動しているため、オフ状態のままである。そのため、ＡＬＡＲＭ端子は、抵抗素子Ｒ３を介してプルダウンされて、ＡＬＡＲＭ端子の電位はＬレベルとなり、ＮＭＯＳトランジスタＮ２はオフ状態となる。システムコントローラ４０のＡＬＭＩＮ端子の電位は抵抗素子Ｒ２を介してプルアップされＨレベルになる。システムコントローラ４０は、ＡＬＭＩＮ端子の電位がＨレベルであるため異常状態であると判断する。
【００３９】
さらに、電池監視ＬＳＩ２０のＡＬＡＲＭ端子とシステムコントローラ４０のＡＬＭＩＮ端子との間において、断線等の異常が有る場合の電池監視システム１０の動作について説明する。
【００４０】
ＡＬＡＲＭ端子とＡＬＡＲＭ端子駆動部３６との間において断線が発生した場合、断線箇所よりもシステムコントローラ４０側の基板上パターン（ＡＬＡＲＭ端子駆動部３６）がプルダウンされるため、ＡＬＡＲＭ端子からＬベルの信号が出力された場合と、同様となる。
【００４１】
従って、上述したように、ＡＬＭＩＮ端子の電位はプルアップされＨレベルになる。システムコントローラ４０は、ＡＬＭＩＮ端子の電位がＨレベルであるため異常状態であると判断する。
【００４２】
［第２の実施の形態］
図２には、本実施の形態の電池監視システムの一例の回路図を示す。図２に示すように本実施の形態の電池監視システム１０は、第１の実施の形態の電池監視システム１０（図１参照）と同様の構成を有しているため、同様の構成については説明を省略する。
【００４３】
本実施の形態の電池監視システム１０の電池監視ＬＳＩ２０では、内蔵の電源または外部の装置から電源電圧（具体例として３．３Ｖ）が供給され、スイッチング素子ＳＷ１及び抵抗素子Ｒ１には当該電源電圧を供給する配線に接続されている。
【００４４】
この場合、電池監視ＬＳＩ２０とシステムコントローラ４０とはロジックレベルでインターフェースされるため、電池監視ＬＳＩ２０とシステムコントローラ４０との間に設けられる回路を簡素化することが可能である。
【００４５】
そのため、図２に示すように、システムコントローラ４０がオープンドレインのＮＭＯＳトランジスタＮ４を備えており、ＮＭＯＳトランジスタＮ４のドレインにＣＴＬＯＵＴ端子が接続されている場合、ＣＴＬＯＵＴ端子とＳＬＥＥＰ端子とは直結が可能である。
【００４６】
また、電池監視ＬＳＩ２０のＡＬＡＲＭ端子とシステムコントローラ４０のＡＬＭＩＮ端子との間には、ＡＬＭＩＮ端子の電位をプルダウンする抵抗素子Ｒ５（検出結果入力端子制御部の一例）のみが接続されている。本実施の形態の電池監視システム１０では、電池監視ＬＳＩ２０の内部プルアップ抵抗である抵抗素子Ｒ４と外部プルダウン抵抗である抵抗素子Ｒ５とは１：１０程度の抵抗比で構成され、典型的には、抵抗値は各々１００ｋΩと１ＭΩである。
【００４７】
また、ＳＬＥＥＰ端子は、抵抗素子Ｒ１を介して電源電圧３．３Ｖにプルアップされる。また、ＡＬＡＲＭ端子の電位はＮＭＯＳトランジスタＮ１により制御されるが、ＮＭＯＳトランジスタＮ１のドレイン端子は、抵抗素子Ｒ４及びスイッチング素子ＳＷ１を介して電源電圧３．３Ｖにプルアップされる。
【００４８】
スイッチング素子ＳＷ１及びＮＭＯＳトランジスタＮ１の構成及び動作は第１の実施の形態と同様であるため、説明を省略する。
【００４９】
なお、本実施の形態のシステムコントローラ４０は、ＡＬＭＩＮ端子の電位がＬレベルの場合は異常状態であると判断する。一方、ＡＬＭＩＮ端子の電位がＨレベルの場合は正常状態であると判断する。
【００５０】
次に本実施の形態の電池監視システム１０の異常を検出する動作について説明する。
【００５１】
まず、電池監視ＬＳＩ２０とシステムコントローラ４０との間において、断線やシステム不良等の異常がない場合の電池監視システム１０の動作について説明する。
【００５２】
電池監視ＬＳＩ２０の異常検出ブロック２２に異常検出動作を開始させる場合、システムコントローラ４０はＮＭＯＳトランジスタＮ４の制御端子にＨレベルの信号を入力させ、ＮＭＯＳトランジスタＮ４をオン状態にする。これにより、ＣＴＬＯＵＴ端子からはＬレベルの制御信号が出力されて、電池監視ＬＳＩ２０のＳＬＥＥＰ端子にそのまま入力される。制御回路３０は、当該Ｌレベルの制御信号に応じて、異常検出ブロック２２に検出動作を行わせる。
【００５３】
一方、電池監視ＬＳＩ２０のスイッチング素子ＳＷ１はＳＬＥＥＰ端子に入力される制御信号のレベルに連動しているため、Ｌレベルの制御信号に応じてオン状態になる。スイッチング素子ＳＷ１がオン状態になることにより、ＡＬＡＲＭ端子は抵抗素子Ｒ４を介して３．３Ｖにプルアップされる。
【００５４】
異常検出ブロック２２が検出動作を行っている間、正常状態では、制御回路３０はＬレベルの信号を出力するため、ＮＭＯＳトランジスタＮ１はオフ状態であり、ＡＬＡＲＭ端子から出力される信号の電位は抵抗素子Ｒ４と抵抗素子Ｒ５とで分圧される。上述したように、抵抗素子Ｒ４と抵抗素子Ｒ５との抵抗比を１：１０としているため、ＡＬＡＲＭ端子から出力される信号のレベルはＨレベルとなり、システムコントローラ４０のＡＬＭＩＮ端子にそのまま入力される。システムコントローラ４０は、ＡＬＭＩＮ端子の電位がＨレベルであるため、正常状態であると判断する。
【００５５】
ここで、異常検出ブロック２２が異常を検出した場合、制御回路３０はＨレベルの信号を出力する。当該Ｈレベルの信号により、ＮＭＯＳトランジスタＮ１はオン状態に変化して、ＡＬＡＲＭ端子からはＬレベルの信号が出力されてそのままＡＬＭＩＮ端子に入力される。システムコントローラ４０は、ＡＬＭＩＮ端子の電位がＬレベルであるため、異常状態であると判断する。
【００５６】
次に、電池監視ＬＳＩ２０のＳＬＥＥＰ端子とシステムコントローラ４０のＣＴＬＯＵＴ端子との間において断線やシステム不良等の異常が有り、ＳＬＥＥＰ端子の電位が制御不能である場合の電池監視システム１０の動作について説明する。
【００５７】
断線やシステム不良等によりＳＬＥＥＰ端子の電位をＬレベルにできない場合、電池監視ＬＳＩ２０の異常検出ブロック２２は、異常の検出動作を開始しないままとなる。
【００５８】
一方、電池監視ＬＳＩ２０のスイッチング素子ＳＷ１はＳＬＥＥＰ端子の電位に連動しているため、オフ状態のままである。そのため、ＡＬＡＲＭ端子は抵抗素子Ｒ５によりプルダウンされて、ＡＬＡＲＭ端子の電位はＬレベルとなり、ＡＬＭＩＮ端子の電位もＬレベルになるため、異常状態であると判断する。
【００５９】
さらに、電池監視ＬＳＩ２０のＡＬＡＲＭ端子とシステムコントローラ４０のＡＬＭＩＮ端子との間において、断線等の異常が有る場合の電池監視システム１０の動作について説明する。
【００６０】
ＡＬＡＲＭ端子と抵抗素子Ｒ５との間において断線が発生した場合、断線箇所よりもシステムコントローラ４０側の基板上パターンがプルダウンされるため、ＡＬＡＲＭ端子からＬベルの信号が出力された場合と同様となる。
【００６１】
従って、上述したように、ＡＬＭＩＮ端子の電位はプルダウンされＬレベルになる。システムコントローラ４０は、ＡＬＭＩＮ端子の電位がＬレベルであるため異常状態であると判断する。
【００６２】
（参考形態）
上記各実施の形態の対する参考形態の電池監視システムについて説明する。
【００６３】
図３には、参考形態の電池監視システムの一例の回路図を示す。図３に示すように参考形態の電池監視システム１００は、第１の実施の形態の電池監視システム１０（図１参照）と同様の構成を有しているため、同様の構成については同一の符号を付し説明を省略する。
【００６４】
なお、参考形態のシステムコントローラ４０は、第２の実施の形態のシステムコントローラ４０と同様に、ＡＬＭＩＮ端子の電位がＬレベルの場合は異常状態であると判断する。一方、ＡＬＭＩＮ端子の電位がＨレベルの場合は正常状態であると判断する。
【００６５】
参考形態の電池監視システム１００の異常を検出する動作において、システムコントローラ４０が異常検出ブロック２２の状態が異常であるか否かにかかわらず正常状態であると判断してしまう場合について説明する。
【００６６】
断線やシステム不良等によりＳＬＥＥＰ端子の電位をＬレベルにできない場合、電池監視ＬＳＩ１２０の異常検出ブロック２２は異常の検出動作を開始しないままとなる。
【００６７】
一方、ＡＬＡＲＭ端子は抵抗素子Ｒ２を介してプルアップされて、ＡＬＡＲＭ端子の電位はＨレベルとなり、システムコントローラ４０のＡＬＭＩＮ端子の電位がＨレベルとなるため、見かけ上は正常状態と同様になる。そのため、システムコントローラ４０は正常状態であると判断してしまう。
【００６８】
ＡＬＡＲＭ端子とＡＬＡＲＭ端子駆動部３６との間において断線が発生した場合、抵抗素子Ｒ２によりＡＬＭＩＮは常時プルアップされているため電位がＨレベルとなり、異常検出ブロック２２の検出結果にかかわらず、見かけ上は正常状態と同様になる。そのため、システムコントローラ４０は、正常状態であると判断してしまう。
【００６９】
このように、参考形態の電池監視システム１００では、上記各実施の形態の電池監視システム１０と比較して、異常検出ブロック２２の状態が異常であるか否かにかかわらず、システムコントローラ４０が正常状態であると判断してしまう場合がある。
【００７０】
以上説明したように、上記各実施の形態の電池監視システム１０では、電池監視ＬＳＩ２０が検出動作を行っており、かつ、ＡＬＡＲＭ端子とシステムコントローラ４０のＡＬＭＩＮ端子との間に断線が発生しておらず、さらに異常状態ではない場合に限り、ＡＬＡＲＭ端子の電位（ＡＬＡＲＭ端子から出力される信号の電位）はＨレベルとなる。
【００７１】
そのため、第１の実施の形態の電池監視システム１０のシステムコントローラ４０では、ＡＬＭＩＮ端子の電位がＬレベルとなり正常状態であると判断できる。また、第２の実施の形態の電池監視システム１０のシステムコントローラ４０では、ＡＬＭＩＮ端子の電位がＨレベルとなり正常状態であると判断できる。
【００７２】
また、電池監視ＬＳＩ２０の少なくとも異常検出ブロック２２が検出動作を行っていない場合、検出動作を行っていても異常状態である場合、あるいは、ＡＬＡＲＭ端子とシステムコントローラ４０のＡＬＭＩＮ端子との間に断線が発生している場合のいずれかの場合は、ＡＬＡＲＭ端子の電位または断線箇所よりもシステムコントローラ４０側の基板上のパターンがＬレベルとなり、全てが正常状態である場合と明確に区別が可能である。
【００７３】
そのため、第１の実施の形態の電池監視システム１０のシステムコントローラ４０では、ＡＬＭＩＮ端子の電位がＨレベルとなり異常状態であると判断できる。また、第２の実施の形態の電池監視システム１０のシステムコントローラ４０では、ＡＬＭＩＮ端子の電位がＬレベルとなり異常状態であると判断できる。
【００７４】
従って、上記各実施の形態の電池監視システム１０によれば、自システム内に発生する異常を検出することにより、高精度に組電池１２の電池電圧の制御を行うことができる。また、電池監視システム１０を低コストで実現することができる。
【００７５】
なお、上記実施の形態では、電池監視ＬＳＩ２０は異常検出ブロック２２により、組電池１２に関する異常として過充電、過放電及び組電池１２と電池監視ＬＳＩ２０との間における断線について説明したが、組電池１２に関する異常は、これらに限定されない。例えば、過電流、高温、低温及びその他のエラー等であってもよい。電池監視ＬＳＩ２０は、組電池１２に関する異常の少なくとも１つを検出する機能を有していればよく、どのような異常を検出するかについては電池監視ＬＳＩ２０の仕様やユーザの所望等に応じればよい。
【００７６】
上記各実施の形態では、電池監視ＬＳＩ２０が組電池１２の異常を監視する機能を有するものとして説明したが、電池監視ＬＳＩ２０の機能はこれに限定されない。また、本発明の応用範囲はこれに限定されず、その他の一般的なシステムの制御に適用が可能である。
【００７７】
また、上記各実施の形態の組電池１２が備える電池セルＣｅｌｌの個数等は、一例であり、特に限定されるものではない。
【００７８】
また、上記各実施の形態で説明した電池監視システム１０等の構成及び動作等は一例であり、本発明の主旨を逸脱しない範囲内において状況に応じて変更可能であることは言うまでもない。
【符号の説明】
【００７９】
１０  電池監視システム
２０  電池監視ＬＳＩ
３６  ＡＬＡＲＭ端子駆動部
４０  システムコントローラ
【図１】
2016157649.tif 000003
【図２】
2016157649.tif 000004
【図３】
2016157649.tif 000005